(57)【要約】【課題】長尺の原稿に対する画像読み取りを容易に行うことを可能にする。【解決手段】画像読取装置２は、原稿給送部（原稿送り装置）２０によって搬送される原稿の搬送長さを検出する長さ検出部５３と、原稿の搬送長さが予め定められた長さとなったことを長さ検出部５３が検出する毎に、記憶部（データ記憶部）７６に、ページを異ならせて、画像データを記憶させる制御部５１と、を備える。【選択図】図３
2018195922.tif 000002
【特許請求の範囲】
【請求項１】
予め定められた搬送原稿読取位置に原稿を搬送する原稿送り装置と、
前記搬送原稿読取位置に搬送された原稿を当該搬送原稿読取位置で読み取る原稿読取部と、
前記原稿読取部で読み取られた画像データを記憶するデータ記憶部と、
前記原稿送り装置によって搬送される原稿の搬送長さを検出する長さ検出部と、
前記原稿の搬送長さが予め定められた長さとなったことを前記長さ検出部が検出する毎に、前記データ記憶部に、ページを異ならせて、前記画像データを記憶させる制御部と、を備える画像読取装置。
【請求項２】
前記制御部は、前記データ記憶部に記憶可能なデータ量まで前記画像データを記憶させたとき、前記原稿読取部での前記原稿の読み取り動作を中止させる請求項１に記載の画像読取装置。
【請求項３】
前記原稿の搬送路上での異なる位置に設けられて当該原稿の有無を検出する複数の原稿検出センサーを更に備え、
前記長さ検出部は、全ての各前記原稿検出センサーにおいて、前記原稿が有ることを検出している検出時間と、前記原稿送り装置の前記搬送路での前記原稿の予め定められた搬送速度とを乗算することにより、前記原稿の搬送長さを算出し、前記全ての原稿検出センサーでの算出した搬送長さが前記予め定められた長さとなったことを判別したときに、当該原稿の搬送長さが前記予め定められた長さとなったと検出する請求項１又は請求項２に記載の画像読取装置。
【請求項４】
前記制御部は、いずれかの前記原稿検出センサーにおいて、前記原稿が無いことが予め定められた設定時間以上継続して検出され、かつ、残りの前記原稿検出センサーにおいて、前記原稿が有ることが前記設定時間以上継続して検出された場合、前記搬送路において、前記原稿の用紙ジャムが発生したと判別し、前記原稿の読み取り動作を中止させる請求項３に記載の画像読取装置。
【請求項５】
請求項１乃至請求項４のいずれかに記載の画像読取装置と、
記録媒体に対して、前記画像読取装置により読み取りで得られた画像データに基づく印刷処理を行う印刷部と、を備える画像形成装置。
【請求項６】
ユーザーからの操作指示を受け付ける操作受付部を更に備え、
前記制御部は、前記データ記憶部に記憶されている複数のページの前記画像データに基づく印刷処理の指示を前記操作受付部が受け付けた場合、一枚の記録紙に対して、前記複数のページの前記画像データについて、ページ順に、かつ、画像に隙間を生じさせることなく、前記印刷処理を前記印刷部に行わせる請求項５に記載の画像形成装置。
【発明の詳細な説明】
【技術分野】
【０００１】
本発明は、原稿を読み取る画像読取装置、及びこれを備えた画像形成装置に関し、特に長尺の原稿を読み取る技術に関する。
【背景技術】
【０００２】
画像読取装置は、原稿の画像を読み取るものであって、スキャナーとも称され、単独で又は画像形成装置等に搭載されて用いられ、読み取った原稿の画像データを出力する。例えば、下記特許文献１〜２には、原稿の読み取り動作を複数に分けて行い、これらの複数の読み取り動作による複数の画像データを一つの画像データに合成して印刷する技術が提案されている。つまり、特許文献１には、Ａ４の原稿サイズに対応する読込領域を用いて、Ａ３の原稿サイズの原稿に対し、第１の読み取り動作と第２の読み取り動作を行う。そして、第１及び第２の読み取り動作で得られた画像データを、一つの画像データに合成し、合成した画像データに基づいてＡ３のサイズの印刷物を得ることが記載されている。また、特許文献２には、Ａ４原稿台上にＡ３原稿の右半分を置いて読み取り動作を行った後、当該Ａ４原稿台上にＡ３原稿の左半分を置いて読み取り動作を行う。そして、これら２回の読み取り動作で得られた画像データを、約７０％に縮小して合成し、合成した画像データを基に、Ａ４用紙に対してＡ３原稿の７０％に縮小して印刷した印刷物を得ることが記載されている。
【先行技術文献】
【特許文献】
【０００３】
【特許文献１】特開２００８−２４５００１号公報
【特許文献２】特開平８−８８７４０号公報
【発明の概要】
【発明が解決しようとする課題】
【０００４】
しかしながら、上記のような従来技術では、Ａ３の原稿サイズを超えるような長尺の原稿に対しては、読み取り動作を容易に行うことができない。つまり、上記のような従来技術では、長尺の原稿に対する読み取り動作を行う場合は、読み取り対象の原稿が予め定められた規定長さを超えると、用紙ジャムが発生したとして、当該読み取り動作を中止し、更に中止するまでに読み取りで得られた画像データを消去していた。このため、ユーザーは、例えば、長尺の原稿を、読み取り動作が可能となる上記規定長さ以下に切断して、当該長尺の原稿の読み取り動作を、切断した長尺の原稿の部分毎に分けて行う必要があった。
【０００５】
本発明は、上記の事情に鑑みてなされたものであり、長尺の原稿に対する画像読み取りを容易に行うことを可能にする。
【課題を解決するための手段】
【０００６】
本発明の一局面に係る画像読取装置は、予め定められた搬送原稿読取位置に原稿を搬送する原稿送り装置と、前記搬送原稿読取位置に搬送された原稿を当該搬送原稿読取位置で読み取る原稿読取部と、前記原稿読取部で読み取られた画像データを記憶するデータ記憶部と、前記原稿送り装置によって搬送される原稿の搬送長さを検出する長さ検出部と、前記原稿の搬送長さが予め定められた長さとなったことを前記長さ検出部が検出する毎に、前記データ記憶部に、ページを異ならせて、前記画像データを記憶させる制御部と、を備えるものである。
【０００７】
また、本発明の別の一局面にかかる画像形成装置は、上記画像読取装置と、記録媒体に対して、前記画像読取装置により読み取りで得られた画像データに基づく印刷処理を行う印刷部と、を備えるものである。
【発明の効果】
【０００８】
本発明によれば、長尺の原稿に対する画像読み取りを容易に行うことを可能にする。
【図面の簡単な説明】
【０００９】
【図１】本発明の一実施形態に係る画像形成装置を示す断面図である。
【図２】図１に示した画像読取装置の要部を説明する図である。
【図３】画像形成装置の要部構成を示す機能ブロック図である。
【図４】画像形成装置での処理の流れを示すフローチャートである。
【図５】画像形成装置の表示部に表示される表示画面の一例を示した図である。
【図６】（Ａ）は、予め定められた長さ検出前における、画像データの書き込み動作を説明する図であり、（Ｂ）は、予め定められた長さ検出後における、画像データの書き込み動作を説明する図である。
【図７】画像メモリーに記憶された画像データの具体的な処理方法を説明する図である。
【発明を実施するための形態】
【００１０】
以下、本発明に係る画像読取装置及び画像形成装置の一実施形態について図面を参照して説明する。図１は、本発明の一実施形態に係る画像形成装置を示す断面図である。図２は、図１に示した画像読取装置の要部を説明する図である。
【００１１】
図１において、本発明の一実施形態に係る画像形成装置１は、例えば、コピー機能、プリンター機能、スキャナー機能、及びファクシミリ機能のような複数の機能を兼ね備えた複合機である。画像形成装置１は、装置本体１１に、画像読取装置２、定着部１３、給紙部１４、及び印刷部１２等を備えて構成されている。
【００１２】
画像読取装置２は、原稿読取部３０と、原稿読取部３０の上方に配置された原稿給送部２０とを備えている。原稿給送部２０は、例えばＡＤＦ（Automatic document feeder：自動原稿送り装置）により構成されており、原稿読取部３０に対して、開閉自在に設けられている。尚、原稿給送部２０は、特許請求の範囲における原稿送り装置の一例である。
【００１３】
図２に示すように、原稿給送部２０は、読取処理対象となる原稿Ｇが載置される原稿載置台２１、原稿排出トレイ２２、ピックアップローラー２５、搬送ローラー２６、および排紙ローラー２７などを備えている。また、原稿給送部２０には、ピックアップローラー２５から排紙ローラー２７までの原稿Ｇの搬送路２８が形成されている。
【００１４】
すなわち、原稿給送部２０は、ピックアップローラー２５により原稿載置台２１に載置された原稿束から一枚ずつ原稿を繰り出し、搬送ローラー２６により当該繰り出された原稿を、後述する第１のコンタクトガラス３２の主面に向けて搬送する。第１のコンタクトガラス３２に搬送された原稿は、予め定められた搬送原稿読取位置ＨＲで後述するスキャナー３４により読み取られ、その後、排出ローラー２７により原稿排出トレイ２２へ排出される。
【００１５】
また、原稿給送部２０には、搬送路２８での用紙ジャム（紙詰まり）の発生を検出するために、複数、例えば第１原稿検出センサーＳ１、第２原稿検出センサーＳ２、及び第３原稿検出センサーＳ３が設けられている。これらの第１原稿検出センサーＳ１、第２原稿検出センサーＳ２、及び第３原稿検出センサーＳ３は、例えば光学センサー等からなり、搬送路２８上での異なる位置に設けられて当該搬送路２８を搬送されている原稿Ｇの有無を検出して、後述の制御部等に検出結果を出力する。
【００１６】
原稿読取部３０は、箱形の筐体３１を備えている。筐体３１の上面（原稿給送部２０が閉じられた状態で原稿給送部２０に対向する面）には、第１のコンタクトガラス３２及び第２のコンタクトガラス３３が設置されている。第１のコンタクトガラス３２は、原稿搬送読取用のコンタクトガラスであって、原稿給送部２０から原稿が搬送される。第２のコンタクトガラス３３は、原稿固定読取用のコンタクトガラスであって、原稿が載置される。第２のコンタクトガラス３３の上方に設けられた原稿給送部２０は、第１のコンタクトガラス３２の主面及び第２のコンタクトガラス３３の主面に対して開閉自在に設けられており、当該原稿給送部２０により第２のコンタクトガラス３３に載置された原稿が固定される。
【００１７】
第１のコンタクトガラス３２の主面及び第２のコンタクトガラス３３の主面とは反対側の下面側には、副走査方向に移動可能なスキャナー３４が設けられている。スキャナー３４は、主走査方向に延伸されたＣＩＳ（Contact Image Sensor）方式のイメージセンサーを内蔵している。
【００１８】
原稿固定読取では、スキャナー３４が副走査方向に往復移動して、第２のコンタクトガラス３３に載置された原稿を読み取る。一方、原稿搬送読取では、スキャナー３４を第１のコンタクトガラス３２の裏面における予め定められた位置（搬送原稿読取位置）ＨＲに固定して、原稿給送部２０により第１のコンタクトガラス３２の主面に向けて搬送された原稿を読み取る。当該原稿の読み取りにより得られた画像データは、後述の画像メモリー等に記憶される。
【００１９】
また、本実施形態の画像読取装置２では、後述の操作受付部に対するユーザーの操作指示に応じて、上記原稿搬送読取において、例えばＡ３のサイズを超える、長尺の原稿Ｇの読み取り動作（長尺スキャン処理）を行う。
【００２０】
図１に戻って、印刷部１２は、原稿読取部３０で読み取られた画像データや情報処理装置１からの印刷ジョブなどに基づいて、給紙部１４から供給される記録紙Ｐにトナー像を形成する。
【００２１】
印刷部１２の画像形成ユニット１２Ｍ、１２Ｃ、１２Ｙ、及び１２Ｂｋは、感光体ドラム１２２と、感光体ドラム１２２の表面を均一に帯電させる帯電装置と、感光体ドラム１２２の表面を露光して、その表面に静電潜像を形成する露光装置（ＬＳＵ;Laser scanning units）１２３と、感光体ドラム１２２の表面の静電潜像をトナー像に現像する現像装置と、１次転写ローラー１２６とをそれぞれ備えている。
【００２２】
カラー印刷を行う場合、印刷部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋにおいては、画像データ等に基づき、帯電、露光及び現像の工程によりそれぞれの感光体ドラム１２２上に各色のトナー像を形成し、各色のトナー像をそれぞれの一次転写ローラー１２６により中間転写ベルト１２５上に転写させる。
【００２３】
中間転写ベルト１２５は、それぞれの感光体ドラム１２２の周面に当接した状態で駆動ローラー１２５Ａによって駆動されて無端走行している。この中間転写ベルト１２５上に転写される各色成分のトナー像は、転写タイミングを調整して中間転写ベルト１２５上で重ね合わされ、カラーのトナー像となる。２次転写ローラー２１０は、中間転写ベルト１２５の表面に形成されたカラーのトナー像を、中間転写ベルト１２５との間のニップ部Ｎにおいて、給紙部１４から搬送路１９０を通じて搬送されてきた記録紙Ｐに２次転写させる。この後、定着部１３が、記録紙Ｐ上のトナー像を熱圧着により記録紙Ｐに定着させ、この記録紙Ｐが排出トレイ１５１に排出される。
【００２４】
給紙部１４は、複数の記録紙Ｐが積載されて収容された給紙カセット１４ａと、印刷部１２での印刷処理対象となる図略の記録紙がセットされる手差しトレイ１４ｂとを備えている。また、給紙部１４には、給紙カセット１４ａ内の最上層の記録紙Ｐに押し当てられるピックアップローラー１６が設けられており、給紙部１４は、ピックアップローラー１６を回転させることにより、給紙カセット１４ａから記録紙Ｐを１枚ずつ引出して、印刷部１２に至る搬送路１９０に当該記録紙Ｐを供給する。
【００２５】
図３は、画像形成装置の要部構成を示す機能ブロック図である。画像形成装置１は、制御ユニット５０、給紙部１４、画像読取装置２、印刷部１２、画像メモリー６１、画像処理部６２、第１原稿検出センサーＳ１、第２原稿検出センサーＳ２、第３原稿検出センサーＳ３、表示部７１、タッチパネル７２、操作部７３、ファクシミリ通信部７４、ネットワークインターフェイス部７５、及び記憶部７６がバスによって相互に接続された構成を有する。給紙部１４、画像読取装置２、印刷部１２、第１原稿検出センサーＳ１、第２原稿検出センサーＳ２、及び第３原稿検出センサーＳ３に関しては既に説明したので、その説明を省略する。
【００２６】
画像メモリー６１は、原稿読取装置２の原稿読取部３０による読取で得られた原稿Ｇの画像データを一時的に記憶したり、印刷部１２のプリント対象となる印刷処理用のデータを一時的に保存したりする領域である。
【００２７】
画像処理部６２は、画像メモリー６１から原稿読取部３０で読み取られた画像データを読み出して画像処理する。例えば、画像処理部６２は、原稿読取部３０により読み取られた画像データが印刷部１２により画像形成された後の品質を向上させるために、シェーディング補正等の予め定められた画像処理を行う。
【００２８】
表示部７１は、液晶ディスプレイや有機ＥＬディスプレイ等から構成される。
【００２９】
表示部７１の前面には、タッチパネル７２が配置されている。タッチパネル７２は、所謂抵抗膜方式や静電容量方式等のタッチパネルであって、タッチパネル７２上におけるユーザーによる接触（タッチ）をその接触位置とともに検知する。タッチパネル７２は、ユーザーによる接触を検知すると、その接触点の座標位置を示す検知信号を後述の制御部などに出力する。
【００３０】
操作部７３は、ユーザーにより操作され、この操作に応じて画像形成動作や画像読取動作等の実行指示等を受け付ける。なお、タッチパネル７２と操作部７３とは、特許請求の範囲における操作受付部の一例である。
【００３１】
ファクシミリ通信部７４は、ユーザーにより上記操作受付部に対して指定された相手先のファクシミリ装置に対して、ファクス送信処理を行う。
【００３２】
ネットワークインターフェイス部７５は、ＬＡＮボード等の通信モジュールを有しており、上記制御部等の制御のもと、当該ネットワークインターフェイス部７５に接続されたネットワークを通じて、情報処理装置及びサーバー等との間で種々のデータ通信を行う。
【００３３】
記憶部７６は、ＨＤＤ（Hard Disk Drive）やＳＳＤ（Solid State Drive）等の大容量の記憶装置である。尚、記憶部７６は、特許請求の範囲におけるデータ記憶部の一例である。
【００３４】
制御ユニット５０は、画像形成装置１の全体的な動作制御を司る。制御ユニット５０は、制御部５１、表示制御部５２、及び長さ検出部５３を備えている。
【００３５】
制御ユニット５０は、プロセッサー、ＲＡＭ(Random Access Memory）、及びＲＯＭ（Read Only Memory）などから構成される。プロセッサーは、例えば、ＣＰＵ（Central Processing Unit）、ＭＰＵ、ＡＳＩＣである。この制御ユニット５０は、上記記憶部７６等に記憶された長尺読取実行プログラムが上記のプロセッサーで実行されることにより、制御部５１、表示制御部５２、及び長さ検出部５３として機能する。尚、制御部５１、表示制御部５２、及び長さ検出部５３は、上記長尺読取実行プログラムに基づく動作によらず、それぞれハード回路により構成されてもよい。以下、特に触れない限り、各実施形態について同様である。
【００３６】
制御部５１は、画像形成装置１の全体的な動作を司るものであり、給紙部１４、原稿読取装置２、印刷部１２、画像メモリー６１、画像処理部６２、第１原稿検出センサーＳ１、第２原稿検出センサーＳ２、第３原稿検出センサーＳ３、表示部７１、タッチパネル７２、操作部７３、ファクシミリ通信部７４、ネットワークインターフェイス部７５、及び記憶部７６等と接続され、これら各部の駆動制御を行う。
【００３７】
表示制御部５２は、表示部７１による表示動作を制御する機能を有する。
【００３８】
また、制御部５１は、上記第１原稿検出センサーＳ１、第２原稿検出センサーＳ２、及び第３原稿検出センサーＳ３の各検出結果を使用して、原稿給送部２０での原稿Ｇの用紙ジャムの発生を判別する。つまり、制御部５１は、いずれかの原稿検出センサー（例えば、第３原稿検出センサーＳ３）において、原稿Ｇが無いことが予め定められた設定時間以上継続して検出され、かつ、残りの原稿検出センサー（第１原稿検出センサーＳ１及び第２原稿検出センサーＳ２）において、原稿Ｇが有ることが上記設定時間以上継続して検出された場合、搬送路２８において、原稿Ｇの用紙ジャムが発生したと判別する。そして、制御部５１は、原稿Ｇの読み取り動作を中止させる。また、制御部５１は、用紙ジャムが発生したと判別して、原稿Ｇの読み取り動作を中止させた場合、記憶部７６に記憶されている画像データを消去させる。
【００３９】
長さ検出部５３は、原稿給送部２０によって搬送される原稿の搬送長さを検出する。例えば、長さ検出部５３は、第１原稿検出センサーＳ１、第２原稿検出センサーＳ２、及び第３原稿検出センサーＳ３において、原稿Ｇが有ることを検出している検出時間と、原稿給送部２０の搬送路２８での原稿Ｇの予め定められている搬送速度とを乗算することにより、原稿Ｇの搬送長さを算出する。また、長さ検出部５３は、第１原稿検出センサーＳ１、第２原稿検出センサーＳ２、及び第３原稿検出センサーＳ３での各算出した搬送長さが予め定められた長さ（例えば、１．７ｍ）となったことを判別したときに、当該原稿の搬送長さが予め定められた長さとなったと検出する。
【００４０】
また、長さ検出部５３は、原稿Ｇの搬送長さが上記予め定められた長さとなったことを検出する毎に、上記搬送長さが予め定められた長さとなったことを示す旨の検出信号を制御部５１に出力する。制御部５１は、長さ検出部５３から上記検出信号を受け取ると、原稿読取部３０での原稿Ｇの読み取り動作を中止させることなく、記憶部７６において、ページを異ならせて、画像データを記憶させる。
【００４１】
また、制御部５１は、記憶部７６に記憶されている複数のページの画像データに基づく印刷処理の指示を上記操作受付部が受け付けた場合、一枚の記録紙に対して、複数のページの画像データについて、ページ順に、かつ、画像に隙間を生じさせることなく、当該印刷処理を印刷部１２に行わせる。
【００４２】
また、制御部５１は、記憶部７６に記憶可能な最大のデータ量まで画像データを記憶させたことを判別した場合、原稿読取部３０での原稿Ｇの読み取り動作を中止させる。
【００４３】
次に、図４を参照して、本実施形態の画像形成装置１の動作について具体的に説明する。図４は、画像形成装置での処理の流れを示すフローチャートである。なお、以下の説明では、長尺の原稿に対する読み取り処理（長尺スキャン処理）について主に説明する。
【００４４】
制御部５１は、ユーザーにより、長尺スキャン処理の実行を指示する要求を上記操作受付部が受け付けたかどうかを判別する（Ｓ１）。例えば、制御部５１は、画像形成装置１が動作を実行していない待機状態にある場合に表示制御部５２が、図５に示すように、ユーザーに処理動作の指示を促す表示を表示部７１に行わせたときに、長尺スキャン処理キー７２Ａがユーザーに指定されたかどうかを検出することにより、長尺スキャン処理の実行を指示する要求が行われたかどうかを判別する。制御部５１は、長尺スキャン処理キー７２Ａが指定されたことをタッチパネル７２が検出していなければ（Ｓ１でＮＯ）、Ｓ２には進まず、画像形成装置１を待機状態とする。
【００４５】
一方、制御部５１は、ユーザーにより長尺スキャン処理キー７２Ａが指定され、タッチパネル７２により受け付けられたことを検出した場合（Ｓ１でＹＥＳ）、長尺スキャン処理の実行が要求されたと判断する。そして、制御部５１は、記憶部７６の記憶領域に対する、画像データの読み取り動作を開始させる（Ｓ２）。すなわち、制御部５１は、画像読取装置２の原稿給送部２０を動作させることにより、ユーザーによって原稿載置台２１に載置された長尺原稿を搬送原稿読取位置ＨＲに順次搬送させるとともに、画像読取装置２の原稿読取部３０を動作させることにより、当該搬送原稿読取位置ＨＲで順次搬送された長尺原稿を読み取らせる。そして、制御部５１は、記憶部７６の第１ページ目の記憶領域に対して、読み取りで得られた長尺原稿の画像データを書き込ませる。
【００４６】
続いて、制御部５１は、第１原稿検出センサーＳ１、第２原稿検出センサーＳ２、及び第３原稿検出センサーＳ３の各検出結果を用いることにより、これら第１原稿検出センサーＳ１、第２原稿検出センサーＳ２、及び第３原稿検出センサーＳ３のうち、いずれかの原稿検出センサーにおいて、長尺原稿が無いことが検出されたか否かを判別する（Ｓ３）。そして、制御部５１は、いずれかの原稿検出センサー、例えば第３原稿検出センサーＳ３において、長尺原稿が無いことが検出されたことを判別した場合（Ｓ３でＹＥＳ）、残りの第１原稿検出センサーＳ１及び第２原稿検出センサーＳ２において、長尺原稿が無いことが検出されたか否かを判別する（Ｓ４）。
【００４７】
続いて、制御部５１は、第１原稿検出センサーＳ１及び第２原稿検出センサーＳ２において、長尺原稿が無いことが検出されたことを判別した場合（Ｓ４でＹＥＳ）、搬送路２８を搬送される長尺原稿が存在しないと判断して、処理は終了される。
【００４８】
一方、制御部５１は、第１原稿検出センサーＳ１及び第２原稿検出センサーＳ２において、長尺原稿が無いことが検出されない、つまり長尺原稿が有ることが検出されたことを判別した場合（Ｓ４でＮＯ）、第３原稿検出センサーＳ３において、長尺原稿が無いことが検出された時点からの経過時間、及び第１原稿検出センサーＳ１及び第２原稿検出センサーＳ２において、長尺原稿が有ることが検出された時点からの経過時間がそれぞれ予め定められた設定時間以上継続しているか否かを判別する（Ｓ５）。制御部５１は、上記設定時間以上継続していないことを判別すれば（Ｓ５でＮＯ）、処理は上記Ｓ３に戻って処理をやり直す。
【００４９】
一方、制御部５１は、上記設定時間以上継続していることを判別すれば（Ｓ５でＹＥＳ）、用紙ジャムが搬送路２８において発生（この例では、第２原稿検出センサーＳ２と第３原稿検出センサーＳ３との間の搬送路２８において発生）したと判別する（Ｓ６）。そして、制御部５１は、原稿読取部３０での長尺原稿の読み取り動作（長尺スキャン処理）を中止させ（Ｓ７）、更に、この中止させた時点までに、記憶部７６に書き込まれた長尺原稿の画像データを消去させる（Ｓ８）。
【００５０】
また、制御部５１は、上述のいずれかの原稿検出センサーにおいて、長尺原稿が無いことが検出されなければ（Ｓ３でＮＯ）、搬送路２８に長尺原稿が存在して当該長尺原稿に対するスキャン処理が継続されていると判断する。そして、長さ検出部５３は、全ての第１〜第３原稿検出センサーＳ１〜Ｓ３の検出結果を用いて、第１〜第３の原稿検出センサーＳ１〜Ｓ３の各設置位置で長尺原稿の搬送長さが予め定められた長さとなったことが検出されたか否かについて検出する（Ｓ９）。つまり、長さ検出部５３は、全ての第１〜第３原稿検出センサーＳ１〜Ｓ３のそれぞれの検出結果に基づいて算出した、長尺原稿の搬送長さが予め定められた長さとなったか否かを検出する。
【００５１】
そして、長さ検出部５３は、上記搬送長さが予め定められた長さとなったことを検出しなければ（Ｓ９でＮＯ）、処理は上記Ｓ３に戻って処理をやり直す。
【００５２】
一方、長さ検出部５３は、全ての第１〜第３原稿検出センサーＳ１〜Ｓ３のそれぞれの検出結果に基づいて算出した、長尺原稿の搬送長さが予め定められた長さとなったことを検出すれば（Ｓ９でＹＥＳ）、上記搬送長さが予め定められた長さとなったことを示す旨の検出信号を制御部５１に出力する。制御部５１は、長さ検出部５３から上記検出信号を受け取ると、記憶部７６に対して、ここまでに書き込んだ画像データを１ページ分の画像データとして書き込む書き込み動作を終了させる（Ｓ１０）。
【００５３】
続いて、制御部５１は、原稿読取部３０での長尺原稿の読み取り動作を中止させることなく、記憶部７６において、ページを異ならせて、原稿読取部３０により読み取らせた画像データの書き込み動作を行わせて、当該画像データを記憶させる。（Ｓ１１）。すなわち、制御部５１は、引き続いて原稿読取部３０により読み取られた画像データを記憶部７６の第２ページ目の記憶領域に対して書き込ませる。
【００５４】
そして、制御部５１は、記憶部７６に記憶可能な最大のデータ量まで長尺原稿の画像データを記憶させたか否かを判別する（Ｓ１２）。制御部５１は、上記画像データにより、記憶部７６に記憶可能な最大のデータ量まで記憶させたことを判別すれば（Ｓ１２でＹＥＳ）、長尺スキャン処理の継続は不可能であると判断して、処理を終了する。
【００５５】
一方、制御部５１は、記憶部７６に記憶可能な最大のデータ量まで画像データを記憶させたことを判別しなければ（Ｓ１２でＮＯ）、原稿読取部３０での長尺原稿の読み取り動作が終了したか否かを検出し、長尺スキャン処理が終了したか否かについて判別する（Ｓ１３）。そして、制御部５１は、長尺スキャン処理が終了したことを判別しなければ（Ｓ１３でＮＯ）、処理は上記Ｓ３に移る。
【００５６】
一方、制御部５１は、長尺スキャン処理が終了したことを判別すれば（Ｓ１３でＹＥＳ）、長尺原稿に対する画像データの記憶部７６への書き込み動作が終了した（つまり、長尺原稿の全ての画像データが記憶部７６に記憶された）と判断して、処理を終了する。
【００５７】
ここで、図６（Ａ）及び図６（Ｂ）を参照して、本実施形態の画像形成装置１での長尺原稿の画像データの書き込み動作について具体的に説明する。図６（Ａ）は、予め定められた長さ検出前における、画像データの書き込み動作を説明する図であり、図６（Ｂ）は、予め定められた長さ検出後における、画像データの書き込み動作を説明する図である。
【００５８】
例えば、制御部５１は、図６（Ａ）に示すように、時点Ｔ１で上記Ｓ２を行わせる。すなわち、制御部５１は、時点Ｔ１で原稿読取部３０に長尺原稿ＬＧに対する読み取り動作を行わせて、この読み取りで得られた画像データＤ１を、記憶部７６の第１ページ目の第１記憶領域７６ａへの書き込み動作を開始させる。その後、制御部５１は、時点Ｔ２で長尺原稿ＬＧの搬送長さが予め定められた長さとなったことを長さ検出部５３が検出すると（上記Ｓ９）、第１記憶領域７６ａへの長尺原稿の画像データＤ１の書き込み動作を終了させる。このため、第１記憶領域７６ａには、時点Ｔ１から時点Ｔ２までに原稿読取部３０に読み取りで得られた画像データＤ１が書き込まれて保持される。
【００５９】
続いて、制御部５１は、図６（Ｂ）に示すように、時点Ｔ２直後では原稿読取部３０での長尺原稿ＬＧの読み取り動作を時点Ｔ２から継続させるとともに、この継続させた読み取り動作により得られた長尺原稿ＬＧの画像データＤ２を、記憶部７６の第２ページ目の第２記憶領域７６ｂに対する書き込み動作を行わせる。そして、制御部５１は、時点Ｔ３で長尺原稿ＬＧに対する長尺スキャン処理の終了を判別すると（上記Ｓ１３）、第２記憶領域７６ｂへの長尺原稿の画像データＤ２の書き込み動作を終了させる。このため、第２記憶領域７６ｂには、時点Ｔ２直後から時点Ｔ３までに原稿読取部３０に読み取りで得られた画像データＤ２が書き込まれて保持される。そして、記憶部７６には、長尺原稿ＬＧの全ての画像データ（つまり、画像データＤ１と画像データＤ２）が保持される。
【００６０】
また、制御部５１は、記憶部７６に記憶可能な最大のデータ量まで長尺原稿ＬＧの画像データを記憶させたことを判別しなければ、長さ検出部５３が長尺原稿ＬＧの搬送長さが予め定められた長さとなったことを検出する毎に、長尺原稿ＬＧの画像データを、記憶部７６において、ページを異ならせて、その記憶領域に記憶させる。例えば、制御部５１は、第２記憶領域７６ｂに対して、画像データの書き込み動作を行わせている際に、上記搬送長さが予め定められた長さとなったことが検出された場合、図略の第３ページ目の第３記憶領域に対し、上記画像データの書き込み動作を開始させる。
【００６１】
次に、図７を参照して、本実施形態の画像形成装置１での長尺原稿の画像データに対する動作について具体的に説明する。図７は、画像メモリーに記憶された画像データの具体的な処理方法を説明する図である。
【００６２】
例えば、制御部５１は、図５に示した表示画面において、プリント処理キーが指定され、タッチパネル７２により受け付けられたことを検出した場合、表示制御部５２は、当該プリント処理の対象となる画像データ等の指定を促す表示を表示部７１に行わせる（図示せず）。そして、制御部５１は、記憶部７６に保持されている上記長尺原稿ＬＧのプリント処理が指定され、タッチパネル７２により受け付けられたことを検出した場合、図７に示すように、第１ページ目の第１記憶領域７６ａに記憶されている画像データＤ１及び第２ページ目の第２記憶領域７６ｂに記憶されている画像データＤ２のページ順に、かつ、画像に隙間を生じさせることなく、プリント処理（印刷処理）を印刷部１２に行わせて、画像データＤ１及び画像データＤ２からなる印刷物Ｄ３をユーザーに提供する。
【００６３】
例えば、制御部５１は、上記長尺原稿ＬＧのコピー処理が上記操作受付部に受け付けられた場合、記憶部７６に保持されている当該長尺原稿ＬＧの画像データのページ数と、上記予め定められた長さとを乗算することにより、印刷処理に必要な記録紙の長さ（例えば、３．４ｍ＝２ページｘ１．７ｍ）を算出する。また、表示制御部５２は、例えば、上記算出された長さと当該長さを有する記録紙を手差しトレイ１４ｂにセットすることを指示するメッセージを表示部７１に表示させることにより、長尺原稿ＬＧのコピー処理についての準備をユーザーに通知する。その後、制御部５１は、長尺原稿ＬＧのコピー処理の実行の指示を操作受付部が受け付けた場合、第１ページ目の第１記憶領域７６ａに記憶されている画像データＤ１及び第２ページ目の第２記憶領域７６ｂに記憶されている画像データＤ２を、このページ順に、かつ、連続して、読み出す。そして、制御部５１は、印刷部１２において、手差しトレイ１４ｂからの一枚の記録紙に対し、読み出した画像データＤ１及び画像データＤ２を隙間を生じさせることなく印刷処理させて、一枚の印刷物Ｄ３としてユーザーに提供する。
【００６４】
また、制御部５１は、例えば、図５に示した表示画面において、ファクシミリ通信処理キーが指定され、タッチパネル７２により受け付けられたことを検出した場合、表示制御部５２は、当該ファクシミリ通信処理の対象となる画像データ等の指定を促す表示を表示部７１に行わせる（図示せず）。そして、制御部５１は、記憶部７６に保持されている上記長尺原稿ＬＧのファクシミリ通信処理が指定され、タッチパネル７２により受け付けられたことを検出した場合、図７に示すように、第１ページ目の第１記憶領域７６ａに記憶されている画像データＤ１及び第２ページ目の第２記憶領域７６ｂに記憶されている画像データＤ２の順番で、かつ、連続して、ファクシミリ通信処理をファクシミリ通信部７４に行わせる。
【００６５】
以上のように本実施形態では、長さ検出部５３は、原稿給送部（原稿送り装置）２０によって搬送される原稿Ｇの搬送長さを検出する。制御部５１は、原稿Ｇの搬送長さが予め定められた長さとなったことを長さ検出部５３が検出する毎に、記憶部（データ記憶部）７６に、ページを異ならせて、画像データを記憶させる。これにより、本実施形態では、上記従来例と異なり、長尺の原稿の読み取り動作を行う場合に、当該長尺の原稿について切断などを行う必要がない。このため、本実施形態では、上記従来例と異なり、長尺の原稿に対する画像読み取りを容易に行うことが可能になる。
【００６６】
なお、上記実施形態において、図１乃至図７を用いて上記実施形態により示した構成及び処理は、本発明の一実施形態に過ぎず、本発明を当該構成及び処理に限定する趣旨ではない。
【符号の説明】
【００６７】
１        画像形成装置
２        画像読取装置
１２      印刷部
２０      原稿給送部（原稿送り装置）
２８      搬送路
３０      原稿読取部
５１      制御部
５３      長さ検出部
７２      タッチパネル（操作受付部）
７３      操作部（操作受付部）
７６      記憶部（データ記憶部）
Ｓ１      第１原稿検出センサー
Ｓ２      第２原稿検出センサー
Ｓ３      第３原稿検出センサー
【図１】
2018195922.tif 000003
【図２】
2018195922.tif 000004
【図３】
2018195922.tif 000005
【図４】
2018195922.tif 000006
【図５】
2018195922.tif 000007
【図６】
2018195922.tif 000008
【図７】
2018195922.tif 000009